(57)【特許請求の範囲】
【請求項１】
回転するディスク状記録媒体の記録領域に対して情報の読み出し及び／又は書き込みを行うヘッドを有するディスク装置であって、
回転している前記ディスク状記録媒体の表面に当接する摺接部と、
前記ディスク状記録媒体を収容するカートリッジを保持するホルダに当接する支持部と、前記摺接部及び該支持部に支持されてディスク半径方向に延在する支持案内部材とを備えてなり、前記ヘッドは該支持案内部材に係合して支持案内され、前記ヘッドが前記ディスク状記媒体の前記表面から所定距離離間した状態で、前記ヘッドを前記ディスク状記録媒体に対して所定方向に移動可能に保持するヘッド支持案内機構と、
を有することを特徴とするディスク装置。
【請求項２】
請求項１記載のディスク装置であって、
前記ディスク状記録媒体は情報が記録されない非記録領域を備えており、前記摺接部は前記非記録領域に摺接することを特徴とするディスク装置。
【請求項３】
請求項１記載のディスク装置であって、
前記所定方向は前記ディスク状記録媒体の半径方向であることを特徴とするディスク装置。
【請求項４】
請求項１記載のディスク装置であって、
前記所定距離は０．０５ｍｍから０．１ｍｍの範囲の値であることを特徴とするディスク装置。
【発明の詳細な説明】
技術分野
本発明はディスク装置に係り、特にヘッド部をディスク状記録媒体の表面に摺接させて情報の読み出し及び書き込みを行うディスク装置に関する。
背景技術
光磁気ディスク装置のようなディスク装置において、ディスク状記録媒体（以下「ディスク」という）が収納されたディスクカートリッジ（以下「カートリッジ」という）がディスク装置に装着される。カートリッジの装着動作と同時に先端部分に磁気ヘッドを支持するヘッドアームが回動して磁気ヘッドがディスク上面に接触する。また、光学ピックアップがディスク下面に対向する位置に移動される。
磁気ヘッドと光学ピックアップは、ディスクの同じトラック位置においてディスクを挟んで互いに対向するように、ディスク半径方向に移動される。ディスクに情報を書き込むときは、光学ピックアップからレーザ光が照射されて記録領域の温度をキュリー点以上の温度に上昇する。同時に、磁気ヘッドによりディスクの記録領域に磁界が加えられて記録領域が磁化される。その結果、加えられた磁界の磁化方向が記録領域に記憶される。また、ディスクに記録された情報を読み取るときは、光学ピックアップからレーザ光がディスクに照射される。そして、反射光の偏光面の振動方向を検出し、振動方向が記録領域の磁化方向に応じて磁気カー効果によりカー回転しているかどうかが判定される。
上述のような光磁気ディスク装置では、光学ピックアップはディスクに接触しないが、磁気ヘッドはディスク表面に接触する。ディスクの光磁気記録膜の上下面には、透明な樹脂層がコーティングされている。
上述のように、磁気ヘッドをディスク表面に摺接させるディスク装置においては、通常の使用方法ではディスク表面を傷付けることはない。しかし、例えば磁気ヘッド又はディスク表面に異物が付着した状態で情報の書き込み又は読み取りを行うと、異物によりディスク表面がスクラッチされてディスク表面に傷が付くことがある。特に、ディスク表面の硬度よりも硬い異物が磁気ヘッドとディスク表面との間に介在している場合には、ディスクの記録領域表面に深い傷が付いてしまうことがある。
このように、ディスク表面に深い傷が付いてしまった場合、傷が光磁気記録膜まで達してしまう可能性がある。そのような傷は、読み取り動作時のエラー発生の原因となる。
発明の開示
そこで、本発明は上記問題点を解決した新規で有用なディスク装置を提供することを目的とする。
本発明のより具体的な目的は、ヘッドが記録媒体と所定の距離を保ちながら記録媒体上を移動することで、異物がヘッドと記録媒体との間に挟み込まれないディスク装置を提供することである。
上述の目的を達成するために、本発明によれば、回転するディスク状記録媒体の記録領域に対して情報の読み出し及び／又は書き込みを行うヘッドを有するディスク装置であって、
回転している前記ディスク状記録媒体の表面に摺接する摺接部と、
摺接部に支持され、ヘッドがディスク状記録媒体の表面から所定距離離間した状態で、ヘッドをディスク状記録媒体に対して所定方向に移動可能に保持するヘッド支持案内機構と、
を有するディスク装置が提供される。
上述の発明によれば、記録媒体の表面に摺接する摺接部に支持されるヘッド支持案内機構によりヘッドが移動可能に支持される。したがって、摺接部とヘッドとは互いに分離されており、摺接部を記録媒体の記録領域以外の部分に摺接させることができる。
また、摺接部の記録媒体への当接を基準としてヘッドと記録媒体との位置を決定できるので、ヘッドと記録媒体との距離を常に一定に保つことができる。したがって、ヘッドと記録媒体との距離を非常に小さく維持することができる。これにより、磁気ヘッドを使用する場合でも、適当な磁気記録再生機能を維持しつつ、ヘッドと記録媒体との間に微小な距離を維持することができる。したがって、異物をヘッドと記録媒体との間に挟み込むことが防止される。
一般的に、ディスク状記録媒体は情報が記録されない非記録領域を備えている。よって、摺接部を非記録領域に摺接させることにより、たとえ異物が摺接部と記録媒体との間に入り込んだ場合でも、記録領域を傷つけることはない。
また、非記録領域が記録媒体のディスク外周部に存在し、摺接部が外周部に当接することにより、ディスクの回転時の振れを防止することもできる。
本発明のその他の目的、特徴、及び利点は添付の図面を参照しながら詳細な説明を読むことにより一層明瞭となるであろう。
【図面の簡単な説明】
図１は、本発明のディスク装置の一実施例の分解斜視図である。
図２は、図１に示された磁気ヘッド機構の拡大平面図である。
図３は、摺接部がディスクの非記録領域に摺接した状態にある磁気ヘッド機構の側面図である。
図４は、摺接部がディスクの非記録領域に摺接した状態にある磁気ヘッド機構の正面図である。
図５は、ディスク装置の分解斜視図である。
図６は、カートリッジ未装着時のディスク装置の内部を示す側面図である。
図７は、カートリッジ装着後の再生モード状態におけるディスク装置の内部を示す側面図である。
図８は、カートリッジ装着後の記録モード状態におけるディスク装置の内部を示す側面図である。
図９は、本発明による磁気ヘッド支持機構の第１変形例の斜視図である。
図１０は磁気ヘッド支持機構の第１変形例を有する磁気ヘッド機構の平面図である。
図１１は磁気ヘッド支持機構の第１変形例を有する磁気ヘッド機構の側面図である。
図１２は磁気ヘッド支持機構の第１変形例を有する磁気ヘッド機構の正面図である。
図１３は、磁気ヘッド支持機構の第２変形例を有する磁気ヘッド機構の平面図である。
図１４は、磁気ヘッド支持機構の第２変形例を有する磁気ヘッド機構の側面図である。
図１５は、磁気ヘッド支持機構の第２変形例を有する磁気ヘッド機構の正面図である。
発明を実施するための最良の形態
以下、図面と共に本発明の一実施例について説明する。
図１は、本発明の一実施例による光磁気ディスク装置の分解斜視図である。
図１に示されるように、光磁気ディスク装置１１は、ベース１２に光磁気ディスク（図示せず）が装着されるターンテーブル１３を有している。ターンテーブル１３には、光磁気ディスクのハブをマグネットチャッキングする磁石１４が埋設されている。
また、ベース１２は、ターンテーブル１３の側方にピックアップ用開口１５を有する。ピックアップ用開口１５の後方（矢印Ｂで示される方向）には、一対のヘッドアーム支持部１６が起立して設けられている。そして、一対のヘッドアーム支持部１６間のベース１２には、ヘッドアーム挿通用開口１７が設けられている。また、ヘッドアーム支持部１６の各々には、軸２９が挿通される軸孔１６ａが設けられている。
また、ヘッドアーム支持部１６間のベース１２の上面側には、磁気ヘッド機構１８が配置されている。磁気ヘッド機構１８は、上下方向に回動する第１ヘッドアーム１９と、ディスク半径方向に移動する第２ヘッドアーム２０とを有する。第１ヘッドアーム１９は、一対のヘッドアーム支持部１６により回動可能に支持されている。この第１ヘッドアーム１９は、矢印Ａ，Ｂで示される方向に延在する一対のアーム２１，２２と、アーム２１，２２との間に延在する梁部２３，２４と、アーム２１，２２の後端から下方に突出する腕部２５，２６とを有する。
第１ヘッドアーム１９の腕部２５，２６は、その上部に軸受２５ａ，２６ａを有し、ヘッドアーム支持部１６間に装架された軸２９が挿通される。腕部２５，２６の下部は、ヘッドアーム挿通用開口１７に挿通されてベース１２の下面側に突出している。また、腕部２５，２６の下部には、係合孔２５ｂ，２６ｂが設けられている。
アーム２１，２２の先端には、ディスクの表面に摺接する摺接部２７，２８が設けられている。摺接部２７，２８は、ディスクの表面に対し、低摩擦で摺接できるように低摩擦材により形成される。また、摺接部２７，２８はの下面は、円弧状の曲面を有する。また、摺接部２７，２８には、磁気ヘッド用ガイドロッド３０を支持するための軸孔２７ａ，２８ａが設けられている。ガイドロッド３０は、アーム２１，２２の先端間でヘッド移動方向（矢印Ｃ，Ｄで示される方向）に横架される。
磁気ヘッド３１を支持する第２ヘッドアーム２０は、ガイドロッド３０に摺動可能に嵌合する摺動部３２を有する。磁気ヘッド３１は、ガイドロッド３０によってディスクと接触しないようにディスク表面に対する高さを規制される。すなわち、磁気ヘッド３１は、ディスク表面に対して同じ高さを維持しながら移動できるようにガイドロッド３１によってガイドされる。また、第１ヘッドアーム１９の摺接部２７，２８の離間距離Ｌは、ディスクの記録領域の幅よりも大とされている。そして、第１ヘッドアーム１９は、一対の摺接部２７，２８がディスクの非記録領域に摺接するように取り付けられている。すなわち、一方の摺接部２７は、内周側の非記録領域に摺接し、他方の摺接部２８は、外周側の非記録領域に摺接する。
また、ベース１２の下面側には、第１ヘッドアーム１９を駆動させるためのヘッドアーム用スライダ３５が矢印Ａ，Ｂで示される方向に摺動自在に設けられている。ヘッドアーム用スライダ３５は、第１ヘッドアーム１９の腕部２５，２６に設けられた係合孔２５ｂ，２６ｂに嵌合する軸３６，３７を有する。従って、第１ヘッドアーム１９は、軸３６，３７を中心として上下方向に回動する。
また、ヘッドアーム用スライダ３５の上面には、ベース１２の長孔３８に挿通されてカートリッジ装着用カムギヤ３９のカム溝４０に係合する係合ピン４１が起立している。従って、カートリッジ装着用カムギヤ３９が回動されると、係合ピン４１がカム溝４０に沿って移動し、ヘッドアーム用スライダ３５が摺動する。これにより、第１ヘッドアーム１９を回動させることができる。
ベース１２の下面側には、光ピックアップ機構４２が設けられている。この光ピックアップ機構４２は、光学ヘッド４３を支持する光学ヘッドアーム４４と、光学ヘッドアーム４４より側方に延在するラック４５と、ラックに噛合して光学ヘッドアーム４４を矢印Ｃ，Ｄで示される方向に駆動する駆動ギヤ４６とを有する。
磁気ヘッド３１を支持する第２ヘッドアーム２０の後端には、板バネ２０ａが固着されている。板バネ２０ａは、光学ヘッドアーム４４の後部より垂立した支柱４４ａの上端にネジ止めされる。そのため、第２ヘッドアーム２０は、磁気ヘッド３１を光学ヘッド４３と対向させた状態で光学ヘッドアーム４４と一体的に矢印Ｃ，Ｄで示される方向に移動することができる。また、記録時は、第１ヘッドアーム１９の端部が下方（矢印Ｅで示される方向）に変位して摺接部２７，２８がディスク５３の非記録領域に当接する。この状態において、板バネ２０ａが撓むことにより磁気ヘッド３１がディスク上面に近接する。
また、ベース１２の下面側には、カートリッジ装着用カムギヤ３９を駆動するためのカートリッジ装着用駆動モータ４７が取り付けられている。このカートリッジ装着用駆動モータ４７の回転軸４８は、ベース１２の孔４９に挿通されてベース１２の上面側に突出している。回転軸４８の上端には、回転伝達用のプーリ５０が嵌合されている。
図２は本発明による磁気ヘッド機構１８の拡大平面図である。また、図３は摺接部２７，２８がディスクの非記録領域に摺接した状態にある磁気ヘッド機構１８の側面図である。図４は摺接部２７，２８がディスクの非記録領域に摺接した状態にある磁気ヘッド機構１８の正面図である。
図２乃至図４に示されるように、ディスクカートリッジ５１はカートリッジホルダ５６に挿入され、ディスク装置内の装着位置に移動する。ディスクカートリッジ５１がディスク装置に装着された状態で、第１ヘッドアーム１９及び第２ヘッドアーム２０が下方向（矢印Ｅで示される方向）に回動して第１ヘッドアーム１９の摺接部２７，２８がディスクカートリッジ５１に収納されたディスク５３の上面に摺接する。第１ヘッドアーム１９のアーム２０，２１は、可撓性を有しており、第１ヘッドアーム１９が矢印Ｅで示される方向に回動したときに撓んで摺接部２７，２８をディスク５３の上面に押し付ける。このとき、ディスク５３は、ターンテーブル１３上の磁石１４によりチャッキングされており、ターンテーブル１３と共に回転している。
第１ヘッドアーム１９の摺接部２７，２８は、ディスク５３の内周側、外周側に形成されて非記録領域５３ａ，５３ｂに摺接してガイドロッド３０の高さ位置を規定している。また、第２ヘッドアーム２０の先端側に設けられた摺動部３２が第１ヘッドアーム１９の一対のアーム２１，２２の先端間に横架されたガイドロッド３０に摺動可能に嵌合している。
そのため、第２ヘッドアーム２０は、軸２９及びガイドロッド３０により摺動方向をガイドされる。このとき、磁気ヘッド３１はディスク５３の上面から微小隙間Ｓ（本実施例では、Ｓ＝０．０５〜０．１ｍｍ程度）だけ離間した位置に保持される。
すなわち、磁気ヘッド３１は、ディスク５３の記録領域５３ｃに対し微小隙間Ｓ離間した位置で対向している。よって、磁気ヘッド３１は、ディスク５３に接触しないでディスク半径方向に移動することができる。これにより、異物がディスク５３または磁気ヘッド３１に付着しても、異物がディスクの記録領域と磁気ヘッド３１との間にはさまれることが防止される。したがって、ディスク５３の表面の記録領域に傷付けることを防止できる。また、深い傷によりディスク５３の記録媒体膜が損傷することを防止できる。
さらに、摺接部２８がディスク５３の外周側の非記録領域５３ｂに摺接することにより、ディスク５３の不要な振動を抑えることができる。これにより、高密度記録再生を安定的に行うことができる。
次にディスク装置１１の全体構成について説明する。
図５はディスク装置１１の分解斜視図である。
図５に示されるように、ディスク装置１１は、ベース１２上に固定してある門型のフレーム５４と、フレーム５４の内側でＡ，Ｂ方向に摺動可能に支持された門型のカートリッジ装着用スライダ５５と、カートリッジ装着用スライダ５５の内側に移動可能に設けられたカートリッジホルダ５６とを有する。
フレーム５４は、天板部５４ａと左右の側板部５４ｂとを有する。フレーム５４の側板部５４ｂは、Ｌ字状の長孔５４ｃ有する。また、フレーム５４の側板部５４ｂには、カム組立体５７が取り付けてある。また、フレーム５４の天板部５４ａには、プッシュレバー５８が取り付けてある。
カートリッジ装着用スライダ５５は、天板部５５ａと、左右の側板部５５ｂと、Ｂ方向へ張り出している張り出し部５５ｃとを有する。側板部５５ｂは、傾斜溝５５ｄを有する。天板部５５ａの下面には、Ｌ字状アーム６０及び板ばね部材６１が取り付けてある。また、張り出し部５５ｃ上には、板部材６２が設けてある。
カートリッジホルダ５６は、底板部５６ａと、左右の立ち上がった側板部５６ｂと、側板部５６ｂより内方に突出したカートリッジ支持部５６ｃとを有する。また、側板部５６ｂには、ピン７０がカートリッジホルダ５６より側方に突出している。このピン７０は、傾斜溝５５ｄと長孔５４ｃとを、これらが交差する個所において貫通している。また、左右の側板部５６ｂに沿って、板ばね部材７１，７２が取り付けてある。
板ばね部材７１，７２は矢印Ｂで示される方向の端部に、略Ｖ字状の板ばね部７１ａ，７２ａを有する。板ばね部７１ａ，７２ａは、夫々突出部５６ｃより矢印Ｂで示される方向側の部位にあって、底板部５６ａに対向している。この板ばね部７１ａ，７２ａは、カートリッジホルダ５６に挿入されたディスクカートリッジ５１を押え付ける働きをする。
また、ディスクカートリッジ５１は、磁気ヘッド３１、光学ヘッド４３が対向する位置に設けられた開口を閉塞するシャッタ５１ａを有する。シャッタ５１ａは、ディスクカートリッジ５１が、カートリッジホルダ５６に挿入されることにより開く。
ベース１２には、前述したように磁気ヘッド機構１８、ターンテーブル１３を駆動するターンテーブル用モータ８０、光ピックアップ機構４２、カートリッジ装着用カムギヤ３９、カートリッジ装着用モータ４７、プリント板８４、ヘッドアーム用スライダ３５、プーリ８２、ギヤ８３等が取り付けてある。
カートリッジ装着用モータ４７の回転駆動力は、プーリ５０、ベルト（図示せず）、プーリ８２、ギヤ８３、カートリッジ装着用カムギヤ３９の順に伝達されてヘッドアーム用スライダ３５を矢印Ａ，Ｂで示される方向に駆動する。
次に、上記構成になるディスク装置１１の動作について説明する。尚、図６はカートリッジ未装着時のディスク装置の内部を示す側面図であり、図７はカートリッジ装着後の再生モード状態におけるディスク装置の内部を示す側面図であり、図８はカートリッジ装着後の記録モード状態におけるディスク装置の内部を示す側面図である。
１）カートリッジ装着動作：
図６に示されるように、カートリッジが装着される前の状態においては、カートリッジホルダ５６は、挿入・イジェクト位置に上昇している。また、カートリッジ装着用スライダ５５は矢印Ａで示される方向の摺動位置にある。そして、ヘッドアーム用スライダ３５が矢印Ａで示される方向寄りに位置している。
そのため、磁気ヘッド機構１８は、第１ヘッドアーム１９及び第２ヘッドアーム２０が上方に変位した状態に保持される。このとき、磁気ヘッド３１及び摺接部２７，２８もカートリッジホルダ５６の上方に変位している。
２）再生動作：
ディスクカートリッジ５１がカートリッジホルダ５６に挿入されると、ディスクカートリッジ５１のシャッタ５１ａが開く。そして、ディスクカートリッジ５１の端部がカートリッジホルダ５６の奥部まで挿入されると、カートリッジ挿入検出スイッチ（図示せず）がオンになる。このとき、板ばね部材７１，７２の板ばね部７１ａ，７２ａがディスクカートリッジ５１を押圧して保持する。
カートリッジ挿入検出スイッチ（図示せず）がオンになると、カートリッジ装着用モータ４７が回転駆動される。これにより、カートリッジ装着用モータ４７の回転駆動力がプーリ５０、ベルト（図示せず）、プーリ８２、ギヤ８３を介してカートリッジ装着用カムギヤ３９に伝達される。
カートリッジ装着用カムギヤ３９は、カートリッジ装着用スライダ５５の張り出し部５５ｃの溝５５ｅ及び板部材６２の溝６２ａに挿通された係合ピン３９ａを有する。そのため、カートリッジ装着用スライダ５５は矢印Ｂで示される方向に摺動する。
カートリッジ装着用スライダ５５は側板部５５ｂに設けられた傾斜溝５５ｄにカートリッジホルダ５６のピン７０が係合している。このため、スライダ５５がＢ方向に摺動するのに伴ってカートリッジホルダ５６は下方（矢印Ｅで示される方向）に移動する。これにより、ディスクカートリッジ５１を保持しているカートリッジホルダ５６は、図７に示す装着位置に降下する。
カートリッジ装着用スライダ５５が矢印Ｂで示される方向に移動する。このとき、プッシュレバー５８の掛止部５８ｄが板バネ部材６１の押圧片６１ａに押圧される。これにより、プッシュレバー５８は、カートリッジホルダ５６が矢印Ｅで示される方向に移動するのに連動して反時計に回動し、カートリッジホルダ５６に挿入されたディスクカートリッジ５１の前側上面を下方に押圧し続ける。
この状態において、光学ヘッド４３がディスクカートリッジ５１に収納されたディスク５３の下面に対向して読み取り可能な状態となる。このとき、磁気ヘッド３１は、ディスク５３の上方に離間している。従って、カートリッジホルダ５６が装着位置に移動することにより再生動作可能な状態となる。
また、光学ヘッド４３及び光学ヘッドアーム４４は、矢印Ｃ，Ｄで示される方向に延在するガイドシャフト８５，８６に沿って摺動できるようにガイドされている。そして、光学ヘッドアーム４４のラック４５に噛合するギヤ４６が回転駆動されることにより、光学ヘッド４３及び光学ヘッドアーム４４は、矢印Ｃ，Ｄで示される方向（ディスク半径方向）に移動しながらディスク５３に記録された情報を読み取る。
３）記録動作：
ディスク５３に情報の書き込みを行う場合、記録モードの設定操作によりカートリッジ装着用モータ４７の出力軸４８が所定角度回転駆動される。
図８に示されるように、ヘッドアーム用スライダ３５は、カートリッジ装着用カムギヤ３９のカム溝４０に係合する係合ピン４１を有するため、カム溝４０の形状に応じて矢印Ｂで示される方向に摺動する。また、ヘッドアーム用スライダ３５は、第１ヘッドアーム１９の腕部２５，２６に設けられた係合孔２５ｂ，２６ｂに嵌合する軸３６，３７を有する。このため、ヘッドアーム用スライダ３５が矢印Ｂで示される方向に移動すると共に第１ヘッドアーム１９が反時計方向に回動する。そして、可撓性を有するアーム２１，２２が撓むことによって、摺接部２７，２８がディスク５３の上面に当接する。
第２ヘッドアーム２０は、第１ヘッドアーム１９のアーム２１，２２の先端間に横架されたガイドロッド３０に摺動可能に嵌合する摺動部３２を有する。このため、第１ヘッドアーム１９の回動動作に連動して第２ヘッドアーム２０を支持する板バネ２０ａが撓み、第２ヘッドアーム２０も反時計方向に回動する。よって、第２ヘッドアーム２０の先端に設けられた磁気ヘッド３１はディスク５３の上面に近接し、記録領域５３ｃに対向する。
第１ヘッドアーム１９の摺接部２７，２８は、ディスク５３の非記録領域５３ａ，５３ｂに摺接してガイドロッド３０の高さ位置を規定している。また、第２ヘッドアーム２０の摺動部３２は、ガイドロッド３０に摺動可能に嵌合している。このため、第２ヘッドアーム２０は、磁気ヘッド３１がディスク５３の上面から微小隙間Ｓだけ離間させた高さ位置に維持した状態で移動するようにガイドする。
よって、磁気ヘッド３１は、ディスク５３の上面に接触しないでディスク半径方向に移動することができる。したがって、異物がディスク５３または磁気ヘッド３１に付着しても、異物はディスク５３と磁気ヘッド３１との間にはさまれることがなく、ディスク５３の表面に傷付けることを防止できる。
尚、イジェクト動作は、上記カートリッジ装着動作を逆に行うことにより達成される。すなわち、イジェクト操作されると、カートリッジ装着用モータ４７が逆回転してヘッドアーム用スライダ３５が矢印Ａで示される方向に摺動される。これにより、第１ヘッドアーム１９及び第２ヘッドアーム２０がディスク３５から離間する方向に回動する。この後、カートリッジ装着用スライダ５５が矢印Ａで示される方向に移動してカートリッジホルダ５６を挿入・イジェクト位置に上昇させる。
図９は本発明による磁気ヘッド支持機構の第１変形例の斜視図である。
第１ヘッドアーム１９のアーム２１，２２先端には、一対のガイドプレート９１，９２が平行に配されている。このガイドプレート９１，９２は、Ｌ字状の断面を有する。ガイドプレート９１，９２は、アーム２１，２２先端に設けられた摺接部９３，９４の角部に固着されている。摺接部９３，９４は、下面に突出部９３ａ，９４ａを有する。突出部９３ａ，９４ａは、ガイドプレート９１，９２の間に形成されたスリット９５を通じて下方に突出する。
第２ヘッドアーム２０の先端に設けられた磁気ヘッド９６は、ガイドプレート９１，９２に当接する摺接面９６ａ，９６ｂと、摺接面９６ａ，９６ｂよりも下方に位置してディスク５３に近接するヘッド部９６ｃとを有する。摺接面９６ａ，９６ｂからのヘッド部９６ｃの突出距離は、ガイドプレート９１，９２の厚さより大きい。しかしながら、摺接部９３，９４の突出部９３ａ，９４ａの方がヘッド部９６ｃよりも大きく突出するように、摺接面９６ａ，９６ｂからのヘッド部９６ｃの突出距離が決められている。
図１０は磁気ヘッド支持機構の第１変形例を有する磁気ヘッド機構１８の平面図、図１１は磁気ヘッド支持機構の第１変形例を有する磁気ヘッド機構１８の側面図、図１２は磁気ヘッド支持機構の第１変形例を有する磁気ヘッド機構１８の正面図である。尚、図１０、１１及び１２において、図１及び２に示された部分と同一の部分には同一符号を付し、その説明を省略する。
図１０乃至図１２に示されるように、摺接部９３，９４の突出部９３ａ，９４ａがディスク５３の非記録領域５３ａ，５３ｂの表面に摺接するとき、ヘッド部９６ｃはディスク５３の表面から離間した位置に保持される。
すなわち、磁気ヘッド９６のヘッド部９６ｃは、ディスク５３の記録領域５３ｃに対し微小隙間Ｓだけ離間した位置に保持されている。よって、磁気ヘッド９６は、ディスク５３に接触せずにディスク半径方向に移動することができる。これにより、異物がディスク５３または磁気ヘッド９６のヘッド部９６ｃに付着しても、異物はディスク５３と磁気ヘッド９６との間にはさまれることがなく、ディスク５３の表面に傷付けることを防止できる。
図１３は磁気ヘッド支持機構の第２変形例を有する磁気ヘッド機構１８の平面図；図１４は磁気ヘッド支持機構の第２変形例の側面図；図１５は磁気ヘッド支持機構の第２変形例の正面図である。尚、図１３、１４及び１５において、図１及び２に示された部分と同一の部分には同一符号を付し、その説明を省略する。
図１３乃至図１５に示されるように、支持部９７は、カートリッジホルダ５６の天板５６ａに当接する当接部９７ｂと、当接部９７ｂから下方に突出してガイドプレート９１，９２を支持するガイドプレート支持部９７ａとを有する。
そのため、記録モード状態では、第１ヘッドアーム１９のアーム２１，２２先端に設けられた支持部９７，摺接部９４のうち、外周側に位置する摺接部９４がディスク３５の非記録領域に摺接すると共に、支持部９７の当接部９７ｂがカートリッジホルダ５６の天板５６ａの上面側に当接する。
これにより、磁気ヘッド９６のヘッド部９６ｃは、ディスク５３の記録領域５３ｃに対し微小隙間Ｓだけ離間した位置に保持される。これにより、異物がディスク５３または磁気ヘッド９６のヘッド部９６ｃに付着しても、異物はディスク５３と磁気ヘッド９６との間にはさまれることがなく、ディスク５３の表面に傷付けることを防止できる。
ディスク内周側では、当接部９７ｂがホルダ５６に当接することによって当接部９７の位置が規制されるため、摺接部９４のみがディスク５３に摺接する。したがって、摺接部によるディスクの回転負荷を減らすことができる。
尚、上記摺接部２７，２８，９３，９４の形状は、上記実施例のものに限らず、平面形状としても良いし、あるいはローラのような回転体を第１ヘッドアーム１９の先端に設ける構成としても良い。
また、上記実施例は、本発明を光磁気ディスク装置に適用したものであるが、本発明はこれに限らず、ヘッド部をディスクに摺接させて情報の記録又は再生を行うディスク装置であれば適用することができる。
また、上記実施例では、ディスクの非記録領域に第１ヘッドアーム１９の先端部分に設けられた一対の摺接部をディスク表面に摺接させている。しかし、本発明はこのような構成に限らず、例えばディスク径の大きい場合には、内周側と外周側の非記録領域のほぼ中間位置の記録領域にローラ等の回転体からなる摺接部を摺接させる構成とすることもできる。
本発明は具体的に開示された実施例に限定されることなく、本発明の範囲内において、様々な変形例及び改良例がなされるであろう。
【図１】
0003752551.tif 000002
【図２】
0003752551.tif 000003
【図３】
0003752551.tif 000004
【図４】
0003752551.tif 000005
【図５】
0003752551.tif 000006
【図６】
0003752551.tif 000007
【図７】
0003752551.tif 000008
【図８】
0003752551.tif 000009
【図９】
0003752551.tif 000010
【図１０】
0003752551.tif 000011
【図１１】
0003752551.tif 000012
【図１２】
0003752551.tif 000013
【図１３】
0003752551.tif 000014
【図１４】
0003752551.tif 000015
【図１５】
0003752551.tif 000016